(57)【要約】【課題】ケーブルレスのＦＰＤカセッテの装填の向き等をブッキー撮影台で検知して、次の撮影者に通知することが可能で、次の撮影時にポジショニングミスや再撮影の発生を防止可能な放射線画像撮影システムを提供する。【解決手段】放射線画像撮影システム５０は、ブッキー撮影台１００に装填した状態で、または単独で、被写体を撮影可能なＦＰＤカセッテＦと、使用可能なブッキー撮影台１００とＦＰＤカセッテＦに対応するアイコンＩｂ、Ｉｆを表示する表示手段５７ａを有するコンソール５７とを備え、ブッキー撮影台１００は、少なくともＦＰＤカセッテＦの装填の向きを検知してコンソール５７に通知し、コンソール５７は、表示手段５７ａに表示したブッキー撮影台１００に対応するアイコンＩｂに、当該ブッキー撮影台１００に装填されているＦＰＤカセッテＦの装填の向きを対応付けて表示する。【選択図】図１
2012011057.tif 000002
【特許請求の範囲】
【請求項１】
放射線を照射する放射線発生装置と、
前記放射線発生装置と予め対応付けられたブッキー撮影台と、
前記ブッキー撮影台に装填した状態で、または単独で、被写体を撮影可能なＦＰＤカセッテと、
使用可能な前記ブッキー撮影台および前記ＦＰＤカセッテの各々に対応するアイコンを表示する表示手段を有し、前記ブッキー撮影台、前記ＦＰＤカセッテ、および前記放射線発生装置と通信可能なコンソールと、
を備え、
前記ブッキー撮影台は、少なくとも、前記ＦＰＤカセッテが縦向きに装填されているか横向きに装填されているかを検知して、その装填の向きを前記コンソールに通知し、
前記コンソールは、前記表示手段に表示した前記ブッキー撮影台に対応する前記アイコンに、当該ブッキー撮影台に装填されている前記ＦＰＤカセッテの装填の向きを対応付けて表示することを特徴とする放射線画像撮影システム。
【請求項２】
前記ブッキー撮影台は、装填されている前記ＦＰＤカセッテの装填の向きのほか、装填されている前記ＦＰＤカセッテのサイズを検知して、前記装填の向きと前記サイズとを前記コンソールに通知し、
前記コンソールは、前記表示手段に表示した前記ブッキー撮影台に対応する前記アイコンに、当該ブッキー撮影台に装填されている前記ＦＰＤカセッテの装填の向きと前記サイズとを対応付けて表示することを特徴とする請求項１に記載の放射線画像撮影システム。
【請求項３】
前記放射線発生装置は、放射線を照射する照射野の範囲を変更可能な放射線源を備え、
前記コンソールは、前記表示手段に表示した前記アイコンの中から前記ブッキー撮影台に対応するアイコンが選択された際には、前記選択されたブッキー撮影台に対応付けられた前記放射線発生装置に前記放射線源を起動させるとともに、前記選択されたブッキー撮影台に対応するアイコンに対応付けられて表示された前記ＦＰＤカセッテの装填の向きにあわせて、前記放射線発生装置に、前記放射線源から照射する放射線の前記照射野を変更させることを特徴とする請求項１または請求項２に記載の放射線画像撮影システム。
【請求項４】
前記ブッキー撮影台は、前記ブッキー撮影台に装填しない単独の状態でも被写体の放射線画像を記録可能なＣＲカセッテを装填可能とされており、
前記ＦＰＤカセッテは、前記ＣＲカセッテと互換サイズとされており、前記ＣＲカセッテが準拠するスクリーン／フィルム用のカセッテにおけるＪＩＳ  Ｚ  ４９０５に準拠する寸法で構成されていることを特徴とする請求項１から請求項３のいずれか一項に記載の放射線画像撮影システム。
【請求項５】
前記ブッキー撮影台は、装填されたカセッテが前記ＦＰＤカセッテであるか前記ＣＲカセッテであるかを検出して、前記装填の向きとともに装填されたカセッテの種類を前記コンソールに通知し、
前記コンソールは、前記表示手段に表示した前記アイコンの中から前記ブッキー撮影台に対応するアイコンが選択された際には、当該ブッキー撮影台に装填されている前記カセッテの種類に応じて前記放射線発生装置の放射線源から異なる照射線量の放射線を照射させるように当該放射線発生装置を制御することを特徴とする請求項４に記載の放射線画像撮影システム。
【発明の詳細な説明】
【技術分野】
【０００１】
本発明は、放射線画像撮影システムに係り、特に、放射線画像撮影装置等を装填して使用するためのブッキー撮影台を用いる撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線を放射線検出素子で検出してデジタル画像データとして取得する放射線画像撮影装置（Flat Panel Detector）が開発されている。
【０００３】
ＣＲ装置では、従来から、輝尽性蛍光体シート等をカセッテ状の筐体内に収納した、いわゆるＣＲカセッテを、ブッキー撮影台に装填して放射線画像撮影が行われる。
【０００４】
また、放射線画像撮影装置は、従来、支持台等と一体的に形成された、いわゆる専用機として開発されたが（例えば特許文献１、２参照）、近年、放射線検出素子等を筐体内に収納して可搬とした可搬型の放射線画像撮影装置が開発されている（例えば特許文献３、４参照）。
【０００５】
さらに、最近では、ＣＲカセッテと互換サイズを有するコンパクトサイズの放射線画像撮影装置も登場してきている（例えば特許文献５、６参照）。以下、上記の可搬型の放射線検出素子を可搬型ＦＰＤ、ＣＲカセッテと互換サイズとされた放射線画像撮影装置をＦＰＤカセッテと略称する。そして、このような可搬型ＦＰＤおよびＦＰＤカセッテを装填可能なブッキー撮影台も、種々開発されている（例えば特許文献７等参照）。
【０００６】
ところで、ＣＲカセッテや可搬型ＦＰＤ、ＦＰＤカセッテには、それぞれの撮影可能領域が略正方形に形成された１７×１７インチサイズや大角サイズ（１４×１４インチ）等と、長方形に形成されている半切サイズ（１４×１７インチ）や大四切サイズ（例えば１１×１４インチ）等が存在する。
【０００７】
そして、半切サイズや大四切サイズでは、例えば、細身の人の胸部正面等を撮影する場合にはＣＲカセッテや可搬型ＦＰＤ、ＦＰＤカセッテをブッキー撮影台に縦長になるように装填し、太っている人の胸部正面等を撮影する場合にはＣＲカセッテや可搬型ＦＰＤ、ＦＰＤカセッテを横長になるように装填して放射線画像撮影を行う場合がある。なお、以下、カセッテが縦長または横長になるように装填する場合を、それぞれ縦向きまたは横向きに装填するという。
【０００８】
その際、ＣＲカセッテの場合は、放射線技師等の撮影者が撮影ごとにブッキー撮影台に装填し、撮影後にはＣＲ読取装置で画像を読み取るため、ブッキー撮影台からカセッテを取り出す。そのため、ＣＲカセッテがブッキー撮影台にいわば入れっぱなしにされることはなく、通常、放射線技師等がブッキー撮影台に装填する際のＣＲカセッテの向き、すなわち縦向きに装填したか横向きに装填したかを把握した状態で、放射線画像撮影が行われる。
【０００９】
しかし、可搬型ＦＰＤやＦＰＤカセッテの場合、放射線画像撮影で取得された画像データを、ＤＲＡＭ（Dynamic ＲＡＭ）等で構成された記憶手段に複数記憶することが可能であり、必要に応じて、可搬型ＦＰＤ自身やＦＰＤカセッテが有する無線通信方式やブッキー撮影台を介した有線通信方式でコンソール等の外部装置に送信するように構成することができるため、ＣＲカセッテのように撮影ごとに、ブッキー撮影台に装填したり取り出したりする必要がなく、撮影者の撮影時の負荷を低減する利点がある。しかし、可搬型ＦＰＤやＦＰＤカセッテがブッキー撮影台に入れっぱなしの状態になることも多い。
【００１０】
ところで、放射線技師等の撮影者が撮影したい方向に合致するように可搬型ＦＰＤやＦＰＤカセッテを自由に挿入可能とする方式が特許文献７に記載されている。そして、特許文献７では、ブッキー撮影台のカセッテホルダ（特許文献７では支持枠体）内にマイクロスイッチや非接触の磁気センサ等で構成された検知器を２種類配置する方式が開示されている。
【００１１】
この方式では、可搬型ＦＰＤやＦＰＤカセッテを縦向きに装填した場合には一方の検知器が反応し、横向きに装填した場合には他方の検知器が反応するように配置する。このように構成することで、ブッキー撮影台に装填する可搬型ＦＰＤやＦＰＤカセッテの向きを自由に選択でき、いずれの方向で挿入されても冷却機能を発揮することができるようになっている。
【００１２】
また、特許文献８では、被写体に対する可搬型ＦＰＤやＦＰＤカセッテの向きに応じて、読み取られた画像を表示する際に、必要に応じて回転処理を施し、表示される画像が常に一定方向とする放射線画像生成システムが開示されている。
【先行技術文献】
【特許文献】
【００１３】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【特許文献５】国際公開第２００９／０５４２４２号パンフレット
【特許文献６】特開２００９−１０１０５３号公報
【特許文献７】特開２０１０−５７５９６号公報
【特許文献８】特開２００３−０５２６７７号公報
【発明の概要】
【発明が解決しようとする課題】
【００１４】
特許文献７に記載の発明では、ブッキー撮影台に装填された可搬型ＦＰＤやＦＰＤカセッテを冷却するという観点から、放射線技師等の撮影者によってその撮影意図に基づいて挿入された可搬型ＦＰＤ等を、上記の検知器で検知した可搬型ＦＰＤ等の向きに基づいて、カセッテホルダ内に配置された複数の冷却器の中から冷却に使用する冷却器を選択して冷却することが記載されており、当該撮影者は自己の撮影を支障なく終えることが可能にされている。
【００１５】
しかしながら、次の放射線技師等の撮影者への配慮、すなわちブッキー撮影台内に装填されている可搬型ＦＰＤやＦＰＤカセッテの向きを次の撮影者に知らせるようには構成されておらず、当該次の撮影者は、ブッキー撮影台に装填されている可搬型ＦＰＤやＦＰＤカセッテの向き等を認識することができない。
【００１６】
これでは、当該次の撮影者による次の撮影の際に、被写体の関心領域が可搬型ＦＰＤやＦＰＤカセッテの撮影可能領域内に収まらなくなる事態が生じかねず、このような事態が生じると、再撮影が必要となる等の結果を招き、撮影される患者の側の被曝線量低減の観点から満足できるものではない。
【００１７】
従来のＣＲカセッテでは、撮影ごとにカセッテの着脱が必要であり、放射線技師等の撮影者がカセッテ挿入を行うため、ＣＲカセッテのブッキー撮影台への装填の向き（すなわち縦向きまたは横向き）を間違うことがない。また、撮影終了後は、ＣＲカセッテを読取装置に装填することで撮影フローが終了するため、当該撮影者やシステムが、次の撮影者や次の撮影のために特に配慮する必要がなかった。
【００１８】
すなわち、ＣＲカセッテを用いた撮影の場合における次の撮影者に対する配慮は、寧ろ撮影済みのＣＲカセッテをブッキー撮影台から素早く取り外し、ブッキー撮影台を早く開放することであった。
【００１９】
次いで登場した電源供給ケーブル付き可搬型ＦＰＤの場合、ケーブルの接続位置や把手の位置等により、ブッキー撮影台への装填の向きにかなりの制約があった。しかし、逆に、この制約によって、すなわちケーブルの接続位置や把手の位置等を視認することによって、装填の向きを認識することが可能であった。
【００２０】
一方、ＣＲカセッテと互換サイズを有するケーブルレスのＦＰＤカセッテの場合、上記のような制約がないため、ブッキー撮影台への装填の向きを自由に選択できるが、逆に、上記のように画像データを無線通信方式で送信する場合、ＦＰＤカセッテにケーブルを接続する必要がないため、ＦＰＤカセッテのブッキー撮影台への装填の向きを、ケーブルの接続位置や把手の位置等を視認することによって認識することができなくなる。
【００２１】
また、画像データをＦＰＤカセッテからブッキー撮影台を介した有線通信方式で送信する場合、ＦＰＤカセッテのブッキー撮影台への装填の際に、ＦＰＤカセッテにケーブルを接続するが、ＦＰＤカセッテがこのケーブルを介してブッキー撮影台から電源供給（内蔵バッテリの充電を含む。）を受けることができるため、ＦＰＤカセッテをブッキー撮影台から取り外してクレードル等の充電器に装填することも不要となる。そのため、撮影終了後にＦＰＤカセッテがブッキー撮影台に装填されたままとされる可能性がますます高まる。
【００２２】
本発明は、上記の点を鑑みてなされたものであり、ケーブルレスのＦＰＤカセッテの装填の向き等をブッキー撮影台で検知して、次の撮影者に通知することが可能で、次の撮影時にＦＰＤカセッテの状態（言い換えれば、撮影可能領域の配置）を事前把握可能とし、ポジショニングミスや再撮影の発生を防止可能な放射線画像撮影システムを提供することを目的とする。
【課題を解決するための手段】
【００２３】
前記の問題を解決するために、本発明の放射線画像撮影システムは、
放射線を照射する放射線発生装置と、
前記放射線発生装置と予め対応付けられたブッキー撮影台と、
前記ブッキー撮影台に装填した状態で、または単独で、被写体を撮影可能なＦＰＤカセッテと、
使用可能な前記ブッキー撮影台および前記ＦＰＤカセッテの各々に対応するアイコンを表示する表示手段を有し、前記ブッキー撮影台、前記ＦＰＤカセッテ、および前記放射線発生装置と通信可能なコンソールと、
を備え、
前記ブッキー撮影台は、少なくとも、前記ＦＰＤカセッテが縦向きに装填されているか横向きに装填されているかを検知して、その装填の向きを前記コンソールに通知し、
前記コンソールは、前記表示手段に表示した前記ブッキー撮影台に対応する前記アイコンに、当該ブッキー撮影台に装填されている前記ＦＰＤカセッテの装填の向きを対応付けて表示することを特徴とする。
【発明の効果】
【００２４】
本発明のような方式の放射線画像撮影システムによれば、前回の撮影の際に装填されたＦＰＤカセッテがブッキー撮影台に装填されたままの状態であったとしても、今回の撮影では、撮影前に、コンソールの表示手段に表示した、ブッキー撮影台に対応するアイコンに、当該ブッキー撮影台に装填されているＦＰＤカセッテの装填の向きを対応付けて表示することで、今回の撮影における放射線技師等の撮影者に、ブッキー撮影台にＦＰＤカセッテがどのような向きで装填されているかを的確に通知することが可能となる。
【００２５】
そのため、撮影者がわざわざブッキー撮影台の所にいってカセッテホルダを開けたりしなくても、コンソールの表示手段の画面を見ることで容易かつ的確にＦＰＤカセッテの装填の向きを把握することが可能となる。また、今回の撮影時にポジショニングミスや再撮影の発生を防止することが可能となる。そのため、放射線画像撮影システムが撮影者にとって使い勝手が良いものとなる。
【００２６】
そして、当該ブッキー撮影台に対応するアイコンを選択することで、ＦＰＤカセッテも同時に選択されるように構成すれば、今回の撮影者は、ＦＰＤカセッテの装填の向きを把握したうえで、ブッキー撮影台に対応するアイコンを選択することが可能となる。
【００２７】
また、その際、コンソールと放射線発生装置とが自動連携するように構成されており、ブッキー撮影台に装填されているＦＰＤカセッテの装填の向きにあわせて放射線源から照射する放射線の前記照射野を変更するように構成されていれば、撮影者が装填の向きを誤認していたとしても、放射線画像撮影前にポジショニング確認のためにコリメータから光照射される段階で、コリメータから照射される光の照射範囲を見た撮影者に、当該ブッキー撮影台に装填されているＦＰＤカセッテの装填の向きを気づかせることが可能となる。
【図面の簡単な説明】
【００２８】
【図１】本実施形態に係る放射線画像撮影システムの全体構成を示す図である。
【図２】ＦＰＤカセッテの外観構成を示す斜視図である。
【図３】（Ａ）本実施形態に係るブッキー撮影台の外観斜視図であり、（Ｂ）外観側面図である。
【図４】カセッテホルダの引出部を本体部から引き出した状態を表す図である。
【図５】（Ａ）背面板に沿って巻回されたケーブル、レール、ガイド等を表す図であり、（Ｂ）ケーブルの巻回が拡大された状態を表す図である。
【図６】（Ａ）コネクタを表す正面図であり、（Ｂ）側面図である。
【図７】ＦＰＤカセッテのコネクタ部分の構成を表す図である。
【図８】カセッテホルダの保持部の基本的な構成を表す図である。
【図９】（Ａ）保持部の下端保持部の側面図であり、（Ｂ）（Ａ）におけるＸ−Ｘ線に沿う側面図である。
【図１０】検知表示手段の構成例を示すブロック図である。
【図１１】検知表示手段における検知器の構成例を表す図であり、検知器と保持部の支持板の開口との位置関係等を表す図である。
【図１２】保持部の支持板に３つの開口を設けた場合の構成例を説明する図である。
【図１３】検知表示手段における表示部の構成例を表す図である。
【図１４】撮影オーダ情報の一例を示す図である。
【図１５】コンソールの表示部に表示される撮影オーダ情報が表示された選択画像の一例を示す図である。
【図１６】コンソールの表示部に表示されるブッキー撮影台やＦＰＤカセッテのアイコンが表示された選択画像の一例を示す図である。
【図１７】コンソールの表示部に表示されるブッキー撮影台やＦＰＤカセッテのアイコンが表示された選択画像の一例を示す図である。
【図１８】コンソールの表示部に表示されるブッキー撮影台やＦＰＤカセッテのアイコンが表示された選択画像の一例を示す図である。
【図１９】検知表示手段における検知手段の別の構成例を表す図である。
【図２０】（Ａ）レバーの屈曲部が開口から突出する状態に挿入されることを説明する斜視図であり、（Ｂ）断面図である。
【発明を実施するための形態】
【００２９】
以下、本発明に係る放射線画像撮影システムの実施の形態について、図面を参照して説明する。ただし、本発明は以下の図示例のものに限定されるものではない。
【００３０】
本実施形態に係る放射線画像撮影システム５０は、病院や医院内で行われる放射線画像撮影を想定したシステムであり、図１に示すように、例えば、放射線を照射して図示しない患者の一部である被写体（撮影部位）の撮影を行う撮影室Ｒ１と、撮影者が被写体に照射する放射線の制御や、放射線を照射して取得した放射線画像の画像処理等を行う前室Ｒ２、およびその外部に配置されるものである。
【００３１】
本実施形態では、撮影室Ｒ１には、可搬型とされたＦＰＤカセッテＦやＣＲカセッテＣを装填可能なブッキー撮影台１００や、被写体に放射線を照射する放射線発生装置の放射線源５１が設けられている。ブッキー撮影台１００の構成等については後で詳しく説明する。
【００３２】
また、放射線源５１は、本実施形態では撮影室Ｒ１に少なくとも１つ設けられており、１つの放射線源５１Ａが、立位撮影用のブッキー撮影台１００Ａと臥位撮影用のブッキー撮影台１００Ｂとで兼用されるようになっている。そして、放射線源５１Ａの配置や放射線の照射方向を変更することで、立位撮影用および臥位撮影用のブッキー撮影台１００Ａ、１００Ｂのいずれにも放射線を照射することができるようになっている。
【００３３】
本実施形態では、この放射線源５１Ａの照射方向の変更等は、後述する放射線発生装置の操作卓５６のみならず、後述するコンソール５７でも行うことができるようになっており、さらに、放射線源５１の起動や、図示しない絞りの調整等による照射する放射線の照射野の範囲等の変更をコンソール５７でも行うことができるようになっている。この点については、後で説明する。
【００３４】
また、本実施形態では、立位撮影用のブッキー撮影台１００Ａや臥位撮影用のブッキー撮影台１００Ｂには対応付けられていないポータブルの放射線源５１Ｂも設けられており、ポータブルの放射線源５１Ｂは、撮影室Ｒ１内のいかなる場所にも持ち運びでき、任意の方向に放射線を照射できるようになっている。
【００３５】
なお、ポータブルの放射線源５１Ｂは、本実施形態では、後述する放射線発生装置の操作卓５６を介してコンソール５７による制御を受けるようになっているが、放射線発生装置の操作卓５６やコンソール５７の制御を受けずに、放射線技師等の撮影者が手動で起動させたり、照射野の調整等を行うように構成することも可能である。
【００３６】
撮影室Ｒ１には、ＦＰＤカセッテＦとコンソール５７とが無線通信方式で通信したりブッキー撮影台１００を介した有線通信方式で通信する際にこれらの通信を中継する無線アンテナ５２を備えた中継器（基地局ともいう。）５３等が設けられている。
【００３７】
また、撮影室Ｒ１には、クレードル５４が設けられており、本実施形態では、ＦＰＤカセッテＦは、撮影室Ｒ１内に持ち込まれてクレードル５４に挿入されると、クレードル５４を介して自らの識別情報であるカセッテＩＤ等の情報を、中継器５３を介してコンソール５７に送信するようになっている。
【００３８】
なお、本実施形態では、クレードル５４は、ＦＰＤカセッテＦを充電するための充電機能を有しており、ＦＰＤカセッテＦをクレードル５４に挿入することで、ＦＰＤカセッテＦの内蔵バッテリを充電することができるようになっている。
【００３９】
また、前室Ｒ２には、放射線技師等の撮影者が放射線源５１から放射線を照射させるために操作する曝射スイッチ５５を備えた放射線発生装置の操作卓５６が設けられている。
【００４０】
また、本実施形態では、前室Ｒ２の外部に、放射線画像撮影システム５０全体の制御を行い、また、ＦＰＤカセッテＦで取得された画像データや図示しない読取装置で読み取られたＣＲカセッテＣの画像データに対する処理や管理等を行うコンソール５７が設置されている。
【００４１】
本実施形態では、このように、放射線画像撮影システム５０は、少なくともこれらのブッキー撮影台１００と、放射線発生装置（放射線源５１や操作卓５６）と、ＦＰＤカセッテＦと、ＣＲカセッテＣと、図示しない読取装置と、コンソール５７とを備えて構成されている。なお、以下、ＦＰＤカセッテＦとＣＲカセッテＣとを総称する場合、単にカセッテという。
【００４２】
カセッテのうち、ＣＲカセッテＣとしては、図示を省略するが、例えば上記特許文献３に記載されたような輝尽性蛍光体シートをフロント板やバック板で挟持した形態のものが用いられる。本実施形態では、ＣＲカセッテＣは、従来のスクリーン／フィルム用のカセッテにおけるＪＩＳ  Ｚ  ４９０５（対応する国際規格はＩＥＣ  ６０４０６）に準拠する寸法で構成されている。
【００４３】
すなわち、放射線入射方向の厚さは１３ｍｍ〜１６ｍｍの範囲内に形成され、１７×１７インチ（使用可能な最大サイズ。以下、単に最大サイズという。）、１４×１４インチ（大角サイズ）、１４×１７インチ（半切サイズ）、１１×１４インチ（大四切サイズ）、１０×１２インチ（四切サイズ）、８×１０インチ（六切サイズ）等の種々のサイズのものが使用可能とされている。
【００４４】
また、ＣＲカセッテＣの裏面（放射線が入射する側の面とは反対側の面）の所定の位置には、光学的に読み取り可能なパターンが印刷されたバーコードラベルが印刷または貼付されている。バーコードラベルには、当該ＣＲカセッテＣの固有情報が記録されており、固有情報には、例えば当該ＣＲカセッテＣに割り当てられた識別情報としてのカセッテＩＤやサイズ情報等が含まれている。
【００４５】
なお、ＣＲカセッテＣを用いて放射線画像撮影を行った場合、図示しない読取装置により輝尽性蛍光体シート等からの信号の読み取りが必要となり、放射線技師等の撮影者は、ＣＲカセッテＣを用いて撮影を行った場合には、撮影後、ＣＲカセッテＣを読取装置まで持参して読取処理を行う。
【００４６】
カセッテのうち、ＦＰＤカセッテＦは、図２に示すように、図示しないシンチレータおよびフォトダイオード等の光電変換素子を２次元状に配列した放射線検出パネル等が筐体２１内に内蔵されたものを用いることができる。なお、放射線検出パネルの型式は上記の型式に限定されず、放射線を素子で直接検出するいわゆる直接型等の種々の型式のものを用いることができる。また、図２では、筐体２１がフロント部材２１ａとバック部材２１ｂとで形成されている場合が示されているが、この他にも、筐体２１を筒状のモノコック状に形成することも可能である。
【００４７】
本実施形態では、ＦＰＤカセッテＦは、ＣＲカセッテＣと互換サイズとされており、上記のようにＣＲカセッテＣが準拠するスクリーン／フィルム用のカセッテにおけるＪＩＳ  Ｚ  ４９０５（対応する国際規格はＩＥＣ  ６０４０６）に準拠する寸法で構成されている。
【００４８】
そして、ＦＰＤカセッテＦも、放射線入射方向の厚さは１３ｍｍ〜１６ｍｍの範囲内に形成され、１７×１７インチ（最大サイズ）、１４×１４インチ（大角サイズ）、１４×１７インチ（半切サイズ）、１１×１４インチ（大四切サイズ）、１０×１２インチ（四切サイズ）、８×１０インチ（六切サイズ）等の種々のサイズのものが使用可能とされている。
【００４９】
また、本実施形態では、ＦＰＤカセッテＦの側面部分には、ＦＰＤカセッテＦの電源のＯＮ／ＯＦＦを切り替える電源スイッチ２２が配置されている。また、ＦＰＤカセッテＦの側面部分には、筐体２１内に内蔵された図示しないバッテリの交換のために開閉される蓋部材２３が設けられており、蓋部材２３の側面部には、ＦＰＤカセッテＦが中継器５３を介して外部と無線で情報の送受信を行うためのアンテナ装置２４が埋め込まれている。また、この側面部分には、例えばＬＥＤ等で構成されバッテリの充電状況や各種の操作状況等を表示するインジケータ２５が設けられている。
【００５０】
さらに、電源スイッチ２２等が設けられたＦＰＤカセッテＦの側面部分とは反対側の側面部分には、ＦＰＤカセッテＦがブッキー撮影台１００に装填された場合に、ブッキー撮影台１００内の後述するコネクタ１１４（図６（Ａ）、（Ｂ）参照）に接続され、ＦＰＤカセッテＦがブッキー撮影台１００を介して外部からの電力の供給を受け、外部との信号のやりとりを行うための図示しないコネクタ部分ｆｃ（図７参照）が設けられている。
【００５１】
なお、上記のように、撮影室Ｒ１内に持ち込まれたＦＰＤカセッテＦをクレードル５４に挿入してＦＰＤカセッテＦのカセッテＩＤ等をコンソール５７に送信する代わりに、例えば、ＦＰＤカセッテＦ内にいわゆるＲＦＩＤ（Radio Frequency IDentification）タグ等の図示しないタグを内蔵しておき、例えば前室Ｒ２の出入口付近等に図示しないタグリーダを設置しておいて、タグリーダでＦＰＤカセッテＦが撮影室Ｒ１や前室Ｒ２内に持ち込まれたことをコンソール５７に送信するように構成することも可能である。
【００５２】
この場合、タグの記憶部に記憶された固有情報には、例えば当該ＦＰＤカセッテＦに割り当てられた識別情報としてのカセッテＩＤやシンチレータの種類情報、サイズ情報、解像度等が含まれる。
【００５３】
本実施形態では、ＦＰＤカセッテＦやＣＲカセッテＣは、ブッキー撮影台１００に装填して用いることも可能であるが、単独で用いることもできるようになっている。すなわち、カセッテ（ＦＰＤカセッテＦやＣＲカセッテＣ）を、ブッキー撮影台１００に装填しない、いわば単独の状態で配置し、その上面（放射線が入射する側の面）上に被写体である患者の手や足等を載置し、ポータブルの放射線源５１Ｂ（図１参照）から放射線を照射して画像データを得るようにして用いることができるようになっている。
【００５４】
なお、ＦＰＤカセッテＦは、前述したように、ブッキー撮影台１００に装填されて撮影が行われる場合には、後述するコネクタ部分ｆｃの各ピンｆｃ１（図７参照）を通じ、ブッキー撮影台１００を介して外部からの電力の供給を受け、或いは画像データの送信等の外部との信号のやりとりを行うが、単独の状態で用いられる場合には、内蔵されたバッテリの電力により動作するようになっている。
【００５５】
そして、単独の状態で用いられる場合には、画像データの送信等の外部、特にコンソール５７との信号のやりとりは、ＦＰＤカセッテＦのアンテナ装置２４を介し、撮影室Ｒ１内に設けられた中継器５３を経由して無線通信で行われるようになっている。なお、ＦＰＤカセッテＦをコンソール５７の所に持参してコンソール５７に接続して画像データの送信等を行うように構成することも可能である。
【００５６】
また、ＦＰＤカセッテＦには、図示しない記憶手段が内蔵されており、複数回の放射線画像撮影で得た各画像データを一時的に記憶させることができるようになっている。そのため、ＦＰＤカセッテＦを用いて、被写体に対して連続して放射線を照射し、そのたびごとに画像データを記憶していくことで連続的に撮影を行うことができるようになっている。
【００５７】
ここで、本実施形態に係るブッキー撮影台１００の構成について説明する。なお、以下では、ブッキー撮影台１００が、前述した立位撮影用のブッキー撮影台１００Ａである場合について説明するが、臥位撮影用のブッキー撮影台１００Ｂの場合も全く同様に説明される。
【００５８】
図３（Ａ）、（Ｂ）は、本実施形態に係るブッキー撮影台の外観図であり、（Ａ）は外観斜視図、（Ｂ）は外観側面図である。本実施形態では、ブッキー撮影台１００は、カセッテホルダ１０１と、カセッテホルダ１０１を上下方向に移動可能に支持する支柱１０２と、支柱１０２等を図示しない床面等に固定するための脚部１０３等を備えて構成されている。
【００５９】
図３（Ａ）、（Ｂ）や図４に示すように、カセッテホルダ１０１は、主に、本体部１０４と、引出部１１０と、保持部１２０とを備えて構成されている。なお、図４は、カセッテホルダ１０１の引出部１１０を本体部１０４から引き出した状態を表す図である。
【００６０】
カセッテホルダ１０１の本体部１０４は、側面部に開口１０４ａが設けられた筐体状に形成されており、筐体の上面部には、患者の胸部レントゲン撮影等を行う際に患者が顎を載せるための窪み１０４ｂが設けられている。
【００６１】
なお、本実施形態のブッキー撮影台１００は、窪み１０４ｂに顎を載せて患者の胸部のレントゲン撮影のみを行うものではなく、カセッテホルダ１０１を上方に移動させて患者の頭部を撮影したり、カセッテホルダ１０１を下方に移動させて患者の腹部や腰部、脚部等を撮影したり、或いは、カセッテホルダ１０１を上方から下方に移動させながら患者の頭部や胸部、腹部、脚部を連続的に撮影する、いわゆる長尺撮影を行うことも可能とされている。
【００６２】
カセッテホルダ１０１の引出部１１０は、略板状の背面板１１１を備えて形成されており、背面板１１１が、本体部１０４の開口１０４ａに挿入された状態で図示しないレールに沿って本体部１０４に対して水平方向に引き出したり押し込んだりすることができるようになっている。そして、引出部１１０を本体部１０４に押し込むことで、引出部１１０の背面板１１１が本体部１０４内に収納されるようになっている。
【００６３】
また、引出部１１０の背面板１１１の水平方向の一端側、すなわち引出部１１０が本体部１０４から引き出された状態における本体部１０４側とは反対側の端部側には、背面板１１１を本体部１０４に完全に押し込んだ状態で本体部１０４の開口１０４ａに嵌合して開口１０４ａを閉塞する蓋状部１１２が背面板１１１と一体的に形成されている。また、蓋状部１１２の外側には、放射線技師等が把持して引出部１１０を本体部１０４から引き出したり本体部１０４内に押したりするための取手１１３が設けられている。
【００６４】
また、引出部１１０の背面板１１１の手前側には、筐体に収納されたＦＰＤカセッテＦ（ＣＲカセッテＣを装填する場合も同様。）を保持することが可能な保持部１２０が取り付けられており、保持部１２０は、引出部１１０の移動にあわせて本体部１０４に対して水平方向にスライドするようになっている。すなわち、保持部１２０は、引出部１１０とともに本体部１０４に対して水平方向に引き出されたり押し込まれたりするようになっている。
【００６５】
本実施形態では、カセッテホルダ１０１の保持部１２０は、図４に示すように、装填されたＦＰＤカセッテＦの上端部分および下端部分を保持し背面側から支持する上端保持部１２１、下端保持部１２２および支持板１２３を備えて構成されているが、それらと、検知表示手段を含む保持部１２０に付随する構成については後で詳しく説明する。
【００６６】
保持部１２０の支持板１２３の裏側、すなわち引出部１１０の背面板１１１側には、図５（Ａ）に示すように、引出部１１０の背面板１１１に沿うように、コネクタ１１４とケーブル１１５が設けられている。すなわち、少なくともケーブル１１５は、ＦＰＤカセッテＦ等が保持部１２０に装填された場合には、ＦＰＤカセッテＦの裏側、すなわち引出部１１０の背面板１１１側に配置されるようになる。
【００６７】
図６（Ａ）、（Ｂ）は、コネクタ１１４を表す正面図および側面図である。本実施形態では、コネクタ１１４は、基本的に、支持体１１４ａから所定本数のピン１１４ｂが突出された構成とされており、各ピン１１４ｂの両側には、マグネット１１４ｃが上下方向に延在する状態でそれぞれ支持体１１４ａに固定されている。
【００６８】
また、コネクタ１１４の各ピン１１４ｂは、先端部分がマグネット１１４ｃより外側にそれぞれ突出するように構成されているが、支持体１１４ａに対して各ピン１１４ｂの軸方向に移動可能とされている。そして、図示を省略するが、各ピン１１４ｂは、支持体１１４ａの内部でそれらの後端部分がバネ等の弾性体により突出方向（すなわち図６（Ａ）では左向き、図６（Ｂ）では手前側）に付勢されている。
【００６９】
また、コネクタ１１４の支持体１１４ａの各ピン１１４ｂが設けられた面の、各ピン１１４ｂの上下の位置には、後述するＦＰＤカセッテＦのコネクタ部分ｆｃに設けられた孔ｆｃ３に挿入されることで、ＦＰＤカセッテＦとコネクタ１１４との位置決め、すなわちそれらの上下方向や水平方向の相対的な位置関係を確定されるための位置決めピン１１４ｄがそれぞれ突設されている。
【００７０】
さらに、コネクタ１１４の支持体１１４ａには、コネクタ１１４の各ピン１１４ｂをそれぞれ接続された図示しない各導線が内包されたケーブル１１５が接続されている。
【００７１】
一方、本実施形態では、ＦＰＤカセッテＦの一端面には、図７に示すように、コネクタ部分ｆｃが設けられている。そして、コネクタ部分ｆｃには、コネクタ１１４の各ピン１１４ｂとそれぞれ接触する端面が平面状の各ピンｆｃ１が並設されており、各ピンｆｃ１の両側には、コネクタ１１４のマグネット１１４ｃが着磁可能な金属板ｆｃ２が設けられている。
【００７２】
また、ＦＰＤカセッテＦのコネクタ部分ｆｃの各ピンｆｃ１の上下の位置には、上記のように、コネクタ１１４の各位置決めピン１１４ｄが挿入されることで、ＦＰＤカセッテＦとコネクタ１１４との位置決めを行うための孔ｆｃ３がそれぞれ設けられている。本実施形態では、コネクタ１１４の各位置決めピン１１４ｄは、各孔ｆｃ３に挿入され易いように、角部がテーパ状に面取りされている。
【００７３】
そして、コネクタ１１４のマグネット１１４ｃがＦＰＤカセッテＦのコネクタ部分ｆｃの金属板ｆｃ２と着磁する際に、各位置決めピン１１４ｄが各孔ｆｃ３に挿入されながらＦＰＤカセッテＦとコネクタ１１４との上下方向や水平方向の相対的な位置関係が確定されるとともに、ＦＰＤカセッテＦ側の端面が平面状の各ピンｆｃ１にコネクタ１１４の各ピン１１４ｂの先端部分がそれぞれ当接した状態で、各ピンｆｃ１により各ピン１１４ｂが押圧される。
【００７４】
そして、コネクタ１１４側の各ピン１１４ｂがＦＰＤカセッテＦ側の各ピンｆｃ１との接触を維持した状態でコネクタ１１４の支持体１１４ａ側に押し下げられて、コネクタ１１４のマグネット１１４ｃがＦＰＤカセッテＦの金属板ｆｃ２と着磁する。このようにして、ＦＰＤカセッテＦとコネクタ１１４との位置決めがなされ、各ピンｆｃ１と各ピン１１４ｂとが確実に電気的に接続された状態で、ＦＰＤカセッテＦとコネクタ１１４とを接続することが可能となる。
【００７５】
コネクタ１１４は、図５（Ａ）に示すように、引出部１１０の背面板１１１近くに配置されており、コネクタ部分ｆｃが本体部１０４側を向くようにＦＰＤカセッテＦが保持部１２０に装填される場合には本体部１０４側から、また、コネクタ部分ｆｃが下側を向くようにＦＰＤカセッテＦが保持部１２０に装填される場合には下側から、それぞれＦＰＤカセッテＦのコネクタ部分ｆｃに接続されるようになっている。
【００７６】
また、コネクタ１１４に接続されているケーブル１１５は、引出部１１０の背面板１１１に沿って（すなわち背面板１１１に接触または近接した位置で）巻回された状態で配置されており、引出部１１０の背面板１１１と保持部１２０の支持板１２３（図４参照）との間隙に収まるように、背面板１１１に沿った状態に配置されている。
【００７７】
そして、ケーブル１１５は、引出部１１０が本体部１０４に対して水平方向に引き出されて、ＦＰＤカセッテＦのコネクタ部分ｆｃに接続されたコネクタ１１４、或いは引出部１１０の背面板１１１の所定の位置に仮固定されたコネクタ１１４が引出部１１０の引き出しに伴って引き出されると、背面板１１１の移動に追従するコネクタ１１４の移動に追従して、ケーブル１１５の巻回の曲率半径が小さくなるようになっている。
【００７８】
そして、図５（Ｂ）に示すように、ケーブル１１５は、引出部１１０が本体部１０４に対して水平方向に押し込まれてコネクタ１１４が本体部１０４内に押し込まれると、背面板１１１の移動に追従するコネクタ１１４の移動に追従して、巻回の曲率半径が大きくなるように構成されている。
【００７９】
このように、ケーブル１１５は、引出部１１０の背面板１１１に沿って背面板１１１と保持部１２０の支持板１２３との間隙に収まった状態で、引出部１１０およびコネクタ１１４の水平方向の移動に追従してその巻回の曲率半径が拡大したり縮小したりするだけであるため、引出部１１０を本体部１０４から引き出したり押し込んだりする際に、ケーブル１１５が保持部１２０等の部材に絡みつく等の不都合が生じることを確実に防止することが可能となる。
【００８０】
また、引出部１１０の背面板１１１に沿ったケーブル１１５の巻回の拡大や縮小をより的確に行わせるようにするために、本実施形態では、図５（Ａ）、（Ｂ）に示すように、引出部１１０の背面板１１１に、ケーブル１１５の巻回の中心部から背面板１１１に沿って放射状にレール１１６が設けられている。なお、本実施形態では、レール１１６は２本設けられているが、１本でもよく、或いはさらに多数のレール１１６を設けることも可能であり、レール１１６やガイド１１７は適宜設けられる。
【００８１】
また、上記のようにして設けられたレール１１６上を移動可能で、図示しないバネ等でケーブル１１５を巻回の中心部から外側に付勢するガイド１１７が設けられている。また、ケーブル１１５は、図５（Ｂ）に示すように、所定箇所が本体部１０４の底面部に固定されるようになっている。
【００８２】
そして、ガイド１１７は、図５（Ａ）に示すように、引出部１１０が本体部１０４に対して水平方向に引き出されてケーブル１１５の巻回の曲率半径が小さくなると、ケーブル１１５に押されて巻回の中心部方向に移動し、図５（Ｂ）に示すように、引出部１１０が本体部１０４に対して水平方向に押し込まれると、ケーブル１１５を外側に付勢しながらレール１１６上を外側に移動して、ケーブル１１５の巻回の曲率半径を拡大させるようになっている。
【００８３】
このように、引出部１１０が本体部１０４に押し込まれて、図５（Ｂ）では図示を省略したＦＰＤカセッテＦ等が本体部１０４内に装填された状態で、ケーブル１１５が図５（Ｂ）に示したように大きく拡開するため、ＦＰＤカセッテＦ等に照射された放射線がケーブル１１５に当たらないようにすることが可能となり、ケーブル１１５内の図示しない導線等が放射線に曝されて劣化して故障することを防止することが可能となる。
【００８４】
なお、例えば、ガイド１１７のケーブル１１５との当接部分に凹部等を設け、ガイド１１７が移動してもケーブル１１５がその凹部等から逸脱しないように構成すれば、ケーブル１１５が引出部１１０の背面板１１１に沿って巻回された状態を的確に維持するようにすることが可能となる。
【００８５】
また、コネクタ１１４は、例えば図６（Ａ）の奥側の面に設けられた図示しない磁石で引出部１１０の背面板１１１に着磁固定されたり、或いは、引出部１１０の背面板１１１等に設けられた図示しない凹部に嵌め込まれる等して仮固定されるようになっている。また、コネクタ１１４を仮固定位置から取り出し易いように、引出部１１０の背面板１１１に切り欠きを設けることが好ましい。なお、このコネクタ１１４の仮固定位置は、最大サイズ（１７×１７インチ）を保持部１２０に装填する際のコネクタ操作性を確保するため、背面板１１１の最大サイズカセッテ対応領域よりも外側に設けられることが好ましい。
【００８６】
次に、本実施形態に係るブッキー撮影台１００におけるカセッテホルダ１０１の保持部１２０の構成および検知表示手段を含む保持部１２０に付随する構成について説明する。
【００８７】
なお、例えば、保持部１２０（図４参照）の本体部１０４側（すなわち図４では右側）の端部に蝶番構造を設け、保持部１０２の取手１１３側端部が、引出部１１０の背面板１１１から離間し得るように構成すれば、ＦＰＤカセッテＦ等の保持部１２０への装填動作を行い易くなる。
【００８８】
カセッテホルダ１０１の保持部１２０は、図８に示すように、基本的に、装填されたＦＰＤカセッテＦの上端部分を保持する上端保持部１２１と、下端部分を保持する下端保持部１２２と、ＦＰＤカセッテＦを背面側から支持する支持板１２３とを備えて構成されている。
【００８９】
本実施形態では、上端保持部１２１は支持板１２３の上端部分に固定されており、或いは支持板１２３の上端部分に支持板１２３と一体的に設けられている。また、下端保持部１２２は、支持板１２３に対して、図示しないバネ等により上方に付勢された状態で上下動可能に取り付けられている。
【００９０】
保持部１２０にＦＰＤカセッテＦを装填する際には、図８では図示を省略するＦＰＤカセッテＦの下端部分を下端保持部１２２に嵌合させて押し下げた後、ＦＰＤカセッテＦの上端部分を上端保持部１２１に嵌め込むようにして装填する。このように装填すると、ＦＰＤカセッテＦは、下端部分が下端保持部１２２から上方に押圧され、上端部分が上端保持部１２１に押し付けられた状態になって、上下方向の位置決めがなされる。
【００９１】
保持部１２０の上端保持部１２１と下端保持部１２２には、装填されたＦＰＤカセッテＦの上端部分や下端部分とそれぞれ嵌合する凹部１２１ａ、１２２ａがそれぞれ設けられている。そして、この凹部１２１ａ、１２２ａに嵌合するようにＦＰＤカセッテＦを装填することで、保持部１２０によりＦＰＤカセッテＦが保持されるようになっている。
【００９２】
また、本実施形態では、図９（Ａ）の側面図や図９（Ｂ）の断面図に示すように、少なくとも保持部１２０の下端保持部１２２の凹部１２２ａの底部部分１２２ｂには、緩衝材１２４が設けられている。なお、同様にして、上端保持部１２１にも緩衝材１２４を設けてもよい。
【００９３】
緩衝材１２４は、ゴムやスポンジ等の弾性体で形成されており、緩衝材１２４は、その上側端面が、下端保持部１２２の底部部分１２２ｂの上側端面より上方に突出するように設けられている。
【００９４】
そして、ＦＰＤカセッテＦが保持部１２０に装填される際には、緩衝材１２４が、装填されるＦＰＤカセッテＦの下端部分に接触して、ＦＰＤカセッテＦから保持部１２０に加わる圧力や、保持部１２０側からＦＰＤカセッテＦに加わる圧力を吸収する。そして、緩衝材１２４が圧力に応じて縮んでいき、ＦＰＤカセッテＦの下端部分を、保持部１２０の下端保持部１２２の底部部分１２２ｂに緩やかに当接させる。
【００９５】
緩衝材１２４は、このようにして、ＦＰＤカセッテＦが保持部１２０に装填される際に、少なくともＦＰＤカセッテＦの下端部分と、保持部１２０の下端保持部１２２の凹部１２２ａの底部部分１２２ｂとがぶつかり合うことを防止するようになっている。
【００９６】
次に、本実施形態に係る検知表示手段について説明する。
【００９７】
なお、以下では、ブッキー撮影台１００の保持部１２０に、１４×１７インチ（半切サイズ）のＦＰＤカセッテＦを縦向き或いは横向きに装填したり、１７×１７インチ（最大サイズ）のＦＰＤカセッテＦを装填する場合について説明するが、同じサイズのＣＲカセッテＣを装填する場合も同様である。また、他のサイズのＦＰＤカセッテＦやＣＲカセッテＣを装填する場合も、同様に構成することができる。ただし、使用可能なサイズを増加させるほど、検知手段の構成（数を含む。）や判断アルゴリズムが複雑となる。
【００９８】
本実施形態では、検知表示手段１３０は、図１０に示すように、図示しないＣＰＵ（Central Processing Unit）等を備えるマイクロコンピュータやＦＰＧＡ（Field Programmable Gate Array）等からなる制御部１３１を備えている。制御部１３１を専用の制御回路で構成することも可能である。
【００９９】
また、検知表示手段１３０の制御部１３１には、検知手段として、光を照射する発光手段１３２ａと、保持部１２０にＦＰＤカセッテＦが装填されている場合に発光手段１３２ａが照射した光がＦＰＤカセッテＦで反射した反射光を受光する受光手段１３２ｂとを備える検知器１３２が接続されている。
【０１００】
検知器１３２は、図１１に示すように、保持部１２０の支持板１２３の背面側（すなわち引出部１１０の背面板１１１側）に設けられ、例えばＬＥＤ（Light Emitting Diode）等で構成される発光手段１３２ａから、支持板１２３に設けられた開口１２４を介して、例えば前方下側に向けて光を照射する。
【０１０１】
その際、保持部１２０にＦＰＤカセッテＦが装填されていなければ、或いは、装填されていても当該開口１２４の部分にＦＰＤカセッテＦが存在しなければ、照射された光は反射されずに前方に照射されたままとなる。
【０１０２】
また、保持部１２０にＦＰＤカセッテＦが装填されており、当該開口１２４の部分にＦＰＤカセッテＦが存在する場合には、図１１に示すように、発光手段１３２ａから照射された光がＦＰＤカセッテＦの背面側で反射され、例えばフォトダイオード等で構成される受光手段１３２ｂによって反射光が受光される。検知器１３２は、受光手段１３２ｂが反射光を受光すると制御部１３１に信号を送信するようになっている。
【０１０３】
本実施形態では、図１２に示すように、保持部１２０の支持板１２３には、１４×１７インチのＦＰＤカセッテＦを縦向きに（すなわちＦＰＤカセッテＦが縦長になるように）装填した場合には、ＦＰＤカセッテが位置するが、ＦＰＤカセッテＦを横向きに（すなわちＦＰＤカセッテＦが横長になるように）装填した場合にはＦＰＤカセッテＦが位置しないような位置に、開口１２４Ａが設けられている。
【０１０４】
そして、この開口１２４Ａの背面側に、図１２では図示しない検知器１３２Ａが配置されている。
【０１０５】
また、別の開口１２４Ｂが、１４×１７インチのＦＰＤカセッテＦを横向きに装填した場合にはＦＰＤカセッテＦが位置するが、ＦＰＤカセッテＦを縦向きに装填した場合にはＦＰＤカセッテＦが位置しないような位置に設けられており、この開口１２４Ｂの背面側に、図示しない検知器１３２Ｂが配置されている。
【０１０６】
そして、さらに別の開口１２４Ｃが、１７×１７インチのＦＰＤカセッテＦを装填した場合にはＦＰＤカセッテＦが位置するが、１４×１７インチのＦＰＤカセッテＦを装填した場合には、１４×１７インチのＦＰＤカセッテＦを縦向きに装填しても横向きに装填しても位置しないような位置に設けられている。そして、この開口１２４Ｃの背面側に、図示しない検知器１３２Ｃが配置されている。
【０１０７】
なお、図１２では、図を見易くするために、開口１２４Ａ〜１２４Ｃが実際よりも大きく形成されているように記載されているが、開口１２４の大きさは、上記のように、検知器１３２の発光手段１３２ａから前方に光を照射でき、その反射光を受光手段１３２ｂで受光することができる程度の大きさであればよい。
【０１０８】
このように、本実施形態では、検知器１３２Ａ〜１３２Ｃが、各開口１２４Ａ〜１２４Ｃの位置に１個ずつ、計３個設けられている。
【０１０９】
一方、図１０に示すように、検知表示手段１３０の制御部１３１には、ＦＰＤカセッテＦの装填の有無や装填の向き、装填されているＦＰＤカセッテＦのサイズ等の表示内容を表示する表示手段としての表示部１３３が接続されている。
【０１１０】
具体的には、表示部１３３は、例えば、カセッテホルダ１０１の本体部１０４の上面部（図３（Ａ）等参照）や側面部、或いは、引出部１１０の蓋状部１１２（図４等参照）の外面部に設けられ、例えば図１３に示すように、ＬＥＤが並設されて構成される。
【０１１１】
図１３では、表示部１３３として、１４×１７インチのＦＰＤカセッテＦが縦向きに装填されている場合に点灯されるＬＥＤ１３３ａと、横向きに装填されている場合に点灯されるＬＥＤ１３３ｂと、装填されているＦＰＤカセッテＦが１７×１７インチのサイズである場合に点灯されるＬＥＤ１３３ｃと、保持部１２０にＦＰＤカセッテＦが装填されていない場合に点灯されるＬＥＤ１３３ｄとが並設されている場合が示されている。
【０１１２】
なお、図１３では、表示部１３３に、さらに、ＦＰＤカセッテＦが装填されているにもかかわらず、コネクタ１１４（図６（Ａ）、（Ｂ）等参照）とＦＰＤカセッテＦのコネクタ部分ｆｃ（図７参照）との電気的な接続が不完全である場合に点灯される、警告手段としてのＬＥＤ１３３ｅが並設されている場合が示されている。
【０１１３】
次に、検知表示手段１３０の制御部１３１が、各検知器１３２から受信した信号に基づいて、表示部１３３に表示させる表示内容、すなわち点灯させる表示部１３３の各ＬＥＤ１３３ａ〜３３ｄを切り替えることについて説明する。
【０１１４】
前述したように、各検知器１３２の前方にＦＰＤカセッテＦが存在する場合には、受光手段１３２ｂが反射光を受光するため、各検知器１３２から制御部１３１に信号が送信される。そして、本実施形態では、制御部１３１は、３個の検知器１３２から送信されてくる信号の有無に応じて、下記の表１に示すテーブルに従って、ＦＰＤカセッテＦの装填の有無や装填の向き、ＦＰＤカセッテＦのサイズを検知するようになっている。
【０１１５】
なお、下記のテーブルにおける１３２Ａ〜１３２Ｃは、前述したように、図１２の各開口１２４Ａ〜１２４Ｃの背面側にそれぞれ設けられた検知器１３２Ａ〜１３２Ｃを表す。また、表１のテーブルの「状態」の欄に記載されている内容は、前述した表示部１３３の各ＬＥＤ１３３ａ〜１３３ｄ（図１３参照）の内容と一致している。
【０１１６】
【表１】
2012011057.tif 000003
【０１１７】
図１２の開口１２４Ａの位置に配置された検知器１３２Ａでは、１４×１７インチのＦＰＤカセッテＦを縦向きに装填した場合にのみ発光手段１３２ａが照射した光のＦＰＤカセッテＦによる反射光を受光手段１３２ｂが受光する。そのため、上記のテーブルに示すように、検知器１３２Ａから信号が送信されてきた場合には、１４×１７インチのＦＰＤカセッテＦが縦向きに装填されていることを意味する。
【０１１８】
同様に、図１２の開口１２４Ｂ、１２４Ｃの各位置に配置された各検知器１３２Ｂ、１３２Ｃでは、それぞれ、１４×１７インチのＦＰＤカセッテＦを縦向きに装填した場合にのみ、或いは１７×１７インチのＦＰＤカセッテＦを装填した場合にのみ発光手段１３２ａが照射した光のＦＰＤカセッテＦによる反射光を受光手段１３２ｂが受光するため、上記のテーブルに示すように、検知器１３２Ｂ、１３２Ｃからそれぞれ信号が送信されてきた場合には、それぞれ、１４×１７インチのＦＰＤカセッテＦが縦向きに装填されていること、或いは１７×１７インチのＦＰＤカセッテＦが装填されていることを意味する。
【０１１９】
また、検知器１３２Ａ〜１３２Ｃのいずれからも信号が送信されてこない場合には、保持部１２０には１４×１７インチのＦＰＤカセッテＦも１７×１７インチのＦＰＤカセッテＦもともに装填されていないことを意味するため、その状態は、保持部１２０にＦＰＤカセッテＦが装填されていない、いわゆる空の状態に対応する。
【０１２０】
このように、検知表示手段１３０の制御部１３１は、各検知器１３２からの信号の送信の有無に応じて上記のテーブルを参照して、ＦＰＤカセッテＦの装填の有無や装填の向き、ＦＰＤカセッテＦのサイズを検知する。そして、そのようにして検知した状態に応じて、各状態に対応する表示部１３３の各ＬＥＤ１３３ａ〜１３３ｄのいずれか１つを点灯させるようになっている。
【０１２１】
このように、本実施形態に係るブッキー撮影台１００では、カセッテホルダ１０１へのＦＰＤカセッテＦやＣＲカセッテＣの装填の有無や、装填の向き、装填されているＦＰＤカセッテＦやＣＲカセッテＣのサイズに対応するように、表示部１３３で点灯させる各ＬＥＤ１３３ａ〜３３ｄを切り替えるようになっている。
【０１２２】
そのため、放射線技師等の撮影者がわざわざカセッテホルダ１０１を開けて引出部１１０を引き出したり、撮影室Ｒ１を出てコンソール５７の所まで行ったりしなくても、カセッテホルダ１０１の表示部１３３の表示を見ることで、容易かつ的確にＦＰＤカセッテＦやＣＲカセッテＣの装填の有無や、装填の向き、或いは装填されているカセッテのサイズを確認することが可能となる。そのため、ブッキー撮影台１００が放射線技師等の撮影者にとって非常に使い勝手が良いものとなる。
【０１２３】
一方、検知表示手段１３０の制御部１３１は、この検知結果、すなわち上記の例では１４×１７インチのＦＰＤカセッテＦやＣＲカセッテＣが縦向き或いは横向きに装填されているという情報、或いは１７×１７インチのＦＰＤカセッテＦやＣＲカセッテＣが装填されているという情報、或いはいずれのカセッテも装填されていないという情報を、中継器５３（図１参照）を介してコンソール５７に送信して通知するようになっている。
【０１２４】
なお、立位撮影用のブッキー撮影台１００Ａや臥位撮影用のブッキー撮影台１００ＢにＦＰＤカセッテＦが装填されたことは、上記のように、ＦＰＤカセッテＦのコネクタ部分ｆｃと各ブッキー撮影台１００のコネクタ１１４とが接続されて、各ブッキー撮影台１００を介して装填されたＦＰＤカセッテＦの識別情報であるカセッテＩＤがコンソール５７に通知されることにより、コンソール５７で認識することができるようになっている。
【０１２５】
また、図示を省略するが、各ブッキー撮影台１００のカセッテホルダ１０１（図３（Ａ）、（Ｂ）参照）には、ＣＲカセッテＣが装填される際にＣＲカセッテＣのバーコードを光学的に読み取る図示しないバーコードリーダが設けられており、各ブッキー撮影台１００のバーコードリーダは、ＣＲカセッテＣのバーコードを読み取ると、当該ＣＲカセッテＣのカセッテＩＤ等の必要な情報をコンソール５７に通知するようになっている。
【０１２６】
そして、このようにして、立位撮影用のブッキー撮影台１００Ａや臥位撮影用のブッキー撮影台１００ＢにＣＲカセッテＣが装填されたことを、コンソール５７で認識することができるようになっている。
【０１２７】
コンソール５７は、本実施形態では、図１に示すように、撮影室Ｒ１や前室Ｒ２の外側に設けられている。コンソール５７は、図示しないＣＰＵやＲＯＭ（Read Only Memory）、ＲＡＭ（Random Access Memory）、入出力インターフェース等がバスに接続されたコンピュータで構成されており、ＲＯＭに格納される所定のプログラムを読み出してＲＡＭの作業領域に展開してプログラムに従って各種処理を実行して、前述したように放射線画像撮影システム５０全体の制御を行うようになっている。
【０１２８】
また、コンソール５７には、立位撮影用および臥位撮影用のブッキー撮影台１００Ａ、１００Ｂやクレードル５４等が中継器５３を介して接続されており、また、放射線発生装置の操作卓５６が接続されている。
【０１２９】
そして、コンソール５７は、クレードル５４から送信されてきたＦＰＤカセッテＦのカセッテＩＤ等に基づいて、撮影室Ｒ１内にあるＦＰＤカセッテＦを管理するようになっている。
【０１３０】
また、コンソール５７には、ＣＲＴ（Cathode Ray Tube）やＬＣＤ（Liquid Crystal Display）等で構成された表示手段５７ａが設けられており、ＨＤＤ（Hard Disk Drive）等からなる記憶手段５８が接続されている。また、その他、キーボードやマウス等の図示しない入力手段や、コンソール５７から出力された画像データに基づいて放射線画像をフィルムなどの画像記録媒体に記録して出力する図示しないイメージャ等が接続されている。
【０１３１】
さらに、図示を省略するが、コンソール５７には、ＨＩＳ（Hospital Information System；病院情報システム）やＲＩＳ（Radiology Information System；放射線科情報システム）等がネットワークを介して接続されている。
【０１３２】
コンソール５７は、撮影室Ｒ１で行う放射線画像撮影に先立って、ＨＩＳ／ＲＩＳで登録された、放射線画像撮影の対象となる患者の情報と撮影条件を含む撮影オーダ情報をＨＩＳ／ＲＩＳから入手するようになっている。
【０１３３】
本実施形態では、撮影オーダ情報は、少なくとも撮影部位と撮影条件を指定して設定されるようになっている。具体的には、撮影オーダ情報は、図１４に例示するように、患者情報としての「患者ＩＤ」Ｐ２、「患者氏名」Ｐ３、「性別」Ｐ４、「年齢」Ｐ５、「診療科」Ｐ６、および「撮影部位」Ｐ７、および撮影条件としての「撮影方向」Ｐ８等で構成されるようになっている。
【０１３４】
本実施形態では、さらに撮影条件として、放射線画像撮影装置１をブッキー撮影台１００に装填した状態で撮影を行うか否かの情報として「ブッキーＩＤ」Ｐ９の項目が設けられており、ブッキー撮影台１００に装填する場合にはそのブッキーＩＤを記載するようになっている。図１４に示した例で、ブッキーＩＤ「００１」、「００２」はそれぞれ立位撮影用のブッキー撮影台１００Ａおよび臥位撮影用のブッキー撮影台１００Ｂを表し、ブッキーＩＤ「００３」は、放射線画像撮影装置１をいずれのブッキー撮影台１００にも装填せずに単独の状態で用いることを表す。
【０１３５】
そして、撮影オーダが登録された順に、各撮影オーダ情報に対して「撮影オーダＩＤ」Ｐ１が自動的に割り当てられるようになっている。なお、撮影オーダ情報に書き込む患者情報や撮影条件等の内容は、上記のものに限定されず、例えば、患者の生年月日、診察回数、放射線の線量、太っているか痩せているか等の情報を含むように構成することも可能である。
【０１３６】
以下、コンソール５７の表示手段５７ａに表示される画面や、画面上の操作に基づくコンソール５７による放射線発生装置の操作卓５６に対する制御等について説明するとともに、あわせて本実施形態に係る放射線画像撮影システム５０の作用について説明する。
【０１３７】
まず、ＦＰＤカセッテＦが、外部から撮影室Ｒ１に持ち込まれてクレードル５４に挿入されると、クレードル５４や中継器５３を介して当該ＦＰＤカセッテＦの識別情報であるカセッテＩＤ等がコンソール５７に送信される。そして、コンソール５７は、記憶手段５８等に、持ち込まれたＦＰＤカセッテＦのカセッテＩＤ等を記憶させて登録することで、撮影室Ｒ１内に存在するＦＰＤカセッテＦを把握して管理する。
【０１３８】
また、ＦＰＤカセッテＦが、コネクタ部分ｆｃ（図７参照）とコネクタ１１４（図６（Ａ）、（Ｂ）参照）とが接続された状態でブッキー撮影台１００に装填されると、ブッキー撮影台１００を介してＦＰＤカセッテＦのカセッテＩＤ等の情報がコンソール５７に通知される。また、ＣＲカセッテＣがブッキー撮影台１００に装填されると、ブッキー撮影台１００のバーコードリーダによりＣＲカセッテＣのバーコードが読み取られてＣＲカセッテＣのカセッテＩＤ等の情報がコンソール５７に通知される。
【０１３９】
コンソール５７は、ブッキー撮影台１００から装填されたカセッテ（ＦＰＤカセッテＦまたはＣＲカセッテＣ）のカセッテＩＤ等の情報が通知されてくると、記憶手段５８に記憶されているブッキー撮影台１００のＩＤと通知されてきたカセッテのカセッテＩＤ等とを対応付けて記憶して登録する。
【０１４０】
また、コンソール５７は、前述したブッキー撮影台１００の検知表示手段１３０から、当該ブッキー撮影台１００に装填されているカセッテ（すなわちＦＰＤカセッテＦまたはＣＲカセッテＣ）の装填の向き、すなわちカセッテが縦向きに装填されているか横向きに装填されているかに関する情報が通知されてくると、記憶手段５８に記憶されているブッキー撮影台１００のＩＤと通知されてきた装填の向き（縦向きまたは横向き）の情報とを対応付けて記憶して登録する。
【０１４１】
一方、コンソール５７は、ＨＩＳ／ＲＩＳから、例えばその日に行う放射線画像撮影に関する撮影オーダ情報を入手する。そして、各撮影オーダ情報は、例えば図１５に示すように、表示手段５７ａの選択画面Ｈ１上に表示される。
【０１４２】
本実施形態では、選択画面Ｈ１には、各撮影オーダ情報を表示するための撮影オーダ情報表示欄ｈ１１が設けられている。また、撮影オーダ情報表示欄ｈ１１の左側には、今回撮影する予定である撮影オーダ情報を選択するための選択ボタンｈ１２が各撮影オーダ情報に対応して設けられている。また、撮影オーダ情報表示欄ｈ１１の下側には、決定ボタンｈ１３および戻るボタンｈ１４が設けられている。
【０１４３】
そして、今回撮影を行う撮影オーダ情報が、当該撮影オーダ情報に対応する選択ボタンｈ１２がクリックされ、決定ボタンｈ１３がクリックされて選択されると、コンソール５７は、表示手段５７ａの画面を、図１５に示した選択画面Ｈ１から、例えば図１６に示すような選択画面Ｈ２に切り換える。
【０１４４】
図１６は、立位撮影用および臥位撮影用のブッキー撮影台１００Ａ、１００ＢのいずれにもＦＰＤカセッテＦもＣＲカセッテＣも装填されていない場合の選択画面Ｈ２を表す図である。
【０１４５】
本実施形態では、図１６に示すように、選択画面Ｈ２上には、その左側に、「立位」および「臥位」の表記を矩形状の枠線で囲む状態で、立位撮影用のブッキー撮影台１００Ａと臥位撮影用のブッキー撮影台１００Ｂに対応するアイコンＩｂＡ、ＩｂＢがそれぞれ表示される。また、選択画面Ｈ２の右側には、撮影室Ｒ１内に存在するがブッキー撮影台１００には装填されていないＦＰＤカセッテＦに対応するアイコンＩｆが、それぞれ矩形状の枠線内に１〜３の番号が付されて表示される。
【０１４６】
本実施形態では、ＦＰＤカセッテＦに対応するアイコンＩｆの枠線内には、１〜３の番号のほか、当該ＦＰＤカセッテＦの解像度や、「半切」や「大角」等の当該ＦＰＤカセッテＦのサイズ等が記載されるようになっている。
【０１４７】
また、本実施形態では、コンソール５７は、ＦＰＤカセッテＦやＣＲカセッテＣがブッキー撮影台１００に装填されていない場合、すなわち記憶手段５８を参照してブッキー撮影台１００のＩＤにカセッテのカセッテＩＤ等が対応付けられていない場合には、図１６に示すように、選択画面Ｈ２上の当該ブッキー撮影台１００に対応するアイコンＩｂの枠線を破線で表示して、そのブッキー撮影台１００にはＦＰＤカセッテＦやＣＲカセッテＣが装填されていないことを表示するようになっている。
【０１４８】
また、コンソール５７は、ＦＰＤカセッテＦやＣＲカセッテＣがブッキー撮影台１００に装填されている場合、すなわち記憶手段５８を参照してブッキー撮影台１００のＩＤにカセッテのカセッテＩＤ等が対応付けられている場合には、図１７に示すように、選択画面Ｈ２上の当該ブッキー撮影台１００に対応するアイコンＩｂ（図１７では立位撮影用のブッキー撮影台１００Ａに対応するアイコンＩｂＡ。以下同じ。）の枠線を実線で表示するようになっている。
【０１４９】
その際、カセッテが装填されているブッキー撮影台１００に対応するアイコンＩｂの枠線を実線で表示するとともに、枠線内を所定の色で着色して表示する等して、カセッテが装填されていないブッキー撮影台１００に対応するアイコンＩｂと区別されるように表示することも可能である。
【０１５０】
そして、コンソール５７は、例えば当該ブッキー撮影台１００にカセッテが縦向きに装填されている場合には、図１７に示すように、例えば、カセッテが装填されているブッキー撮影台１００に対応するアイコンＩｂの枠線内に縦長の長方形を表示し、その内部に、「半切」等の装填されているカセッテのサイズを表示するようになっている。
【０１５１】
また、コンソール５７は、例えばカセッテが装填されているブッキー撮影台１００にカセッテが横向きに装填されている場合には、図１８に示すように、例えば、カセッテが装填されているブッキー撮影台１００に対応するアイコンＩｂの枠線内に横長の長方形を表示し、その内部に、「半切」等の装填されているカセッテのサイズを表示するようになっている。
【０１５２】
なお、図１７や後述する図１８では、カセッテが装填されているブッキー撮影台１００に対応するアイコンＩｂの近傍に、さらに、装填されているカセッテの種類（すなわち図１７や図１８の場合はＦＰＤカセッテＦ）やその番号、解像度等が表示される場合が示されている。
【０１５３】
また、当初はいずれのブッキー撮影台１００にもカセッテが装填されておらず、図１６に示したような選択画面Ｈ２が表示されていても、その後、放射線技師等の撮影者が、例えば立位撮影用のブッキー撮影台１００ＡにＦＰＤカセッテＦを縦向きに装填すると、選択画面Ｈ２上の表示が図１７に示したような表示に自動的に切り替わり、また、立位撮影用のブッキー撮影台１００ＡにＦＰＤカセッテＦを横向きに装填すると、選択画面Ｈ２上の表示が図１８に示したような表示に自動的に切り替わる。
【０１５４】
このように、本実施形態では、コンソール５７は、ブッキー撮影台１００から装填されているＦＰＤカセッテＦやＣＲカセッテＣの装填の向きが通知されてくると、選択画面Ｈ２上に表示する当該ブッキー撮影台１００に対応するアイコンＩｂに、当該ブッキー撮影台１００に装填されているカセッテの装填の向きを対応付けて表示するようになっている。
【０１５５】
そのため、撮影者がわざわざ撮影室Ｒ１内のブッキー撮影台１００の所にいってカセッテホルダ１０１を開けたりしなくても、コンソール５７の表示手段５７ａの選択画面Ｈ２を見ることで容易かつ的確にＦＰＤカセッテＦ等の装填の向きを把握することが可能となる。そのため、撮影者が、被写体に対するＦＰＤカセッテＦのポジショニングミスを生じたり、それによる再撮影を行わなければならなくなる事態が発生することを的確に防止することが可能となる。
【０１５６】
コンソール５７は、例えば図１７に示した選択画面Ｈ２において、実線等で表示された立位撮影用のブッキー撮影台１００Ａに対応するアイコンＩｂＡがクリックされて選択されると、当該ブッキー撮影台１００Ａに装填されているカセッテがＦＰＤカセッテＦであるため、放射線発生装置を制御して、放射線源５１Ａに、ＣＲカセッテＣに放射線を照射する場合よりも低線量となるように所定の管電圧や管電流を供給させて、放射線源５１Ａを起動させる。
【０１５７】
また、放射線源５１Ａを所定の位置に移動させて、立位撮影用のブッキー撮影台１００Ａの方向を向くように放射線源５１Ａの配置を変えさせるとともに、選択されたブッキー撮影台１００Ａに装填されているＦＰＤカセッテＦの装填の向きにあわせて、放射線発生装置に、放射線源５１Ａから照射する放射線の照射野を、ＦＰＤカセッテＦの装填の向きにあわせて変更させる。
【０１５８】
すなわち、ＦＰＤカセッテＦが当該ブッキー撮影台１００Ａに縦向きに装填されていれば、例えば放射線源５１Ａから照射する放射線の照射野が縦長になるように、放射線発生装置を制御して放射線源５１Ａの図示しない絞り等を調整させる。また、ＦＰＤカセッテＦが当該ブッキー撮影台１００Ａに横向きに装填されていれば、例えば放射線源５１Ａから照射する放射線の照射野が横長になるように放射線源５１Ａの絞り等を調整させる。
【０１５９】
一方、コンソール５７は、例えば図１７に示した選択画面Ｈ２では図示を省略したが、選択されたブッキー撮影台１００にＣＲカセッテＣが装填されている場合には、上記と同様に、放射線発生装置を制御して放射線源５１Ａを起動させたり絞り等を調整したりするが、その際、上記のようなＦＰＤカセッテＦに照射する照射線量とは異なる（具体的にはＦＰＤカセッテＦに照射する照射線量より大きい照射線量の）放射線が照射されるように、放射線源５１Ａに供給する管電圧や管電流をＣＲカセッテＣ用に変更する。
【０１６０】
なお、上記のようにコンソール５７と放射線発生装置（放射線源５１や操作卓５６）とが自動連携するように構成されていない場合には、これらの調整を、コンソール５７の選択画面Ｈ２上でＦＰＤカセッテＦの装填の向きを確認した後で、放射線技師等の撮影者が前室Ｒ２に行って放射線発生装置の操作卓５６等を操作することにより行うことになる。
【０１６１】
また、本実施形態では、図１６〜図１８に示した選択画面Ｈ２において、撮影者が、ＦＰＤカセッテＦが装填されていないブッキー撮影台１００に対応する、破線等で表示されたアイコンＩｂ上に、選択画面Ｈ２の右側に表示されているＦＰＤカセッテＦに対応するアイコンＩｆのうちのいずれか１つをドラッグアンドドロップすると、コンソール５７は、上記の、ＦＰＤカセッテＦが装填されているブッキー撮影台１００に対応するアイコンＩｂがクリックされて選択された場合と同様に処理を行うようになっている。
【０１６２】
すなわち、この場合、コンソール５７は、アイコンＩｆがアイコンＩｂ上にドラッグアンドドロップされた時点で、放射線発生装置を制御して、放射線源５１ＡにＦＰＤカセッテＦ用の管電圧や管電流を供給させて、放射線源５１Ａを起動させるとともに、放射線源５１ＡをアイコンＩｆがドラッグアンドドロップされたアイコンＩｂに対応するブッキー撮影台１００に放射線を照射できるように所定の位置に移動させ、その方向を向くように放射線源５１Ａの配置を変えさせる。
【０１６３】
また、この場合、ＦＰＤカセッテＦに対応するアイコンＩｆの縦向きと横向きとを決定したうえでアイコンＩｂ上にドラッグアンドドロップするか、或いは、アイコンＩｂ上にＦＰＤカセッテＦに対応するアイコンＩｆをドラッグアンドドロップした後でアイコンＩｂ内の装填の向きを図１７や図１８に示したように変更できるように構成することが好ましい。
【０１６４】
そして、装填の向きが決定、変更された時点で、コンソール５７は、放射線発生装置を制御して放射線源５１Ａの絞り等を調整させて、決定、変更されたＦＰＤカセッテＦの装填の向きにあわせて、放射線発生装置に、放射線源５１Ａから照射する放射線の照射野を、ＦＰＤカセッテＦの装填の向きにあわせて変更させる。
【０１６５】
なお、この場合は、選択画面Ｈ２でドラッグアンドドロップ等の操作がなされても、実際には、当該ブッキー撮影台１００にはＦＰＤカセッテＦは装填されていないため、コンソール５７は、例えば所定時間内に、アイコンＩｆがドラッグアンドドロップされたアイコンＩｂに対応するブッキー撮影台１００にＦＰＤカセッテＦが装填されなかったり、或いは、装填されたＦＰＤカセッテＦの装填の向きが、上記のように決定、変更された装填の向きと異なる場合等には、例えば音声を発する等して撮影者に警告するように構成することが可能である。
【０１６６】
上記のように、ブッキー撮影台１００に装填されているＦＰＤカセッテＦやＣＲカセッテＣの装填の向きにあわせてコンソール５７が放射線発生装置を制御して放射線源５１Ａの絞り等を調整させて、放射線源５１Ａから照射される放射線の照射野が縦長や横長になるように構成すると、以下のような効果を得ることが可能となる。
【０１６７】
すなわち、通常、放射線源５１Ａから放射線を照射する前に、ポジショニング確認のために、放射線源５１Ａから照射される放射線の照射野と同じ範囲に、放射線源５１Ａに付随して設けられたコリメータから光が照射される。そして、上記のように放射線源５１Ａから照射される放射線の照射野が縦長であればコリメータから照射される光の範囲も縦長になり、放射線源５１Ａから照射される放射線の照射野が横長であればコリメータから照射される光の範囲も横長になるように、コリメータから光照射される。
【０１６８】
そのため、放射線技師等の撮影者は、コリメータからブッキー撮影台１００や被写体である患者に光を照射させ、ブッキー撮影台１００上や被写体上に投影された光の範囲を見ながら放射線源５１Ａを動かして、放射線源５１Ａから照射される放射線の照射野がブッキー撮影台１００上や被写体上の的確な位置にくるように放射線源５１Ａの位置を微調整する。
【０１６９】
その際、上記のように、放射線源５１Ａの照射野にあわせてコリメータから照射される光の範囲が縦長や横長になるように構成されていれば、撮影者が、仮にブッキー撮影台１００に装填されているＦＰＤカセッテＦやＣＲカセッテＣの装填の向きを誤認していたとしても、放射線源５１Ａからコリメータ光照射され、ブッキー撮影台１００上や被写体上に投影された光の形状を見ることで、当該ブッキー撮影台１００に装填されているカセッテの装填の向きを誤認していたことに気づき、装填の向きを正しく認識することが可能となるといった効果がある。
【０１７０】
以上のように、本実施形態に係る放射線画像撮影システム５０によれば、前回の撮影の際に装填されたＦＰＤカセッテＦがブッキー撮影台１００に装填されたままの状態であったとしても、今回の撮影では、撮影前に、コンソール５７の表示手段５７ａの選択画面Ｈ２上に表示したブッキー撮影台１００に対応するアイコンＩｂに、当該ブッキー撮影台１００に装填されているＦＰＤカセッテＦの装填の向きが対応付けて表示されているため、今回の撮影の撮影者に、ブッキー撮影台１００にＦＰＤカセッテＦがどのような向きで装填されているかを的確に通知することが可能となる。
【０１７１】
そのため、撮影者がわざわざブッキー撮影台１００の所にいってカセッテホルダ１０１を開けたりしなくても、コンソール５７の表示手段５７ａの選択画面Ｈ２を見ることで、容易かつ的確にＦＰＤカセッテＦの装填の向きを把握することが可能となる。また、今回の撮影時にポジショニングミスや再撮影の発生を防止することが可能となる。そのため、放射線画像撮影システム５０が撮影者にとって使い勝手が良いものとなる。
【０１７２】
そして、本実施形態に係る放射線画像撮影システム５０のように、当該ブッキー撮影台１００に対応するアイコンＩｂを選択することで、ＦＰＤカセッテＦも同時に選択されるように構成すれば、今回の撮影者は、ＦＰＤカセッテＦの装填の向きを把握したうえで、ブッキー撮影台１００に対応するアイコンＩｂを選択することが可能となる。
【０１７３】
なお、上記の実施形態では、ブッキー撮影台１００の保持部１２０に装填されたカセッテ（ＦＰＤカセッテＦやＣＲカセッテＣ）を検知する検知表示手段１３０（図１０や図１１参照）の検知手段１３２として、光を照射する発光手段１３２ａと、保持部１２０にＦＰＤカセッテＦが装填されている場合に発光手段１３２ａが照射した光がＦＰＤカセッテＦで反射した反射光を受光する受光手段１３２ｂとを備える検知器１３２を備える場合について説明した。
【０１７４】
しかし、ブッキー撮影台１００の保持部１２０に装填されたカセッテを検知する検知手段は、このような構成の検知器１３２に限定されず、保持部１２０に装填されたカセッテを検知することができるものであれば、他の形態とすることも可能である。
【０１７５】
例えば図１９に示すように、検知手段１４０を、棒状の軸部材１４１と、軸部材１４１の中央部分に固定された断面略Ｌ字状のレバー１４２と、軸部材１４１の一端側に固定されたアーム１４３と、アーム１４３の先端に取り付けられたバネ等の弾性体１４４と、軸部材１４１の他端側に取り付けられたスイッチ手段１４５とを備えて構成する。
【０１７６】
そして、例えば図１２に示したように保持部１２０の支持板１２３に設けられた各開口１２４（すなわち開口１２４Ａ〜１２４Ｃ）に、図２０（Ａ）、（Ｂ）に示すように、検知手段１４０のレバー１４２の屈曲部１４２ａが支持板１２３の裏側から開口１２４に挿入されて、支持板１２３より前方に突出する状態とする。
【０１７７】
そして、検知手段１４０の軸部材１４１を、保持部１２０の支持板１２３の裏面側で図示しない軸受け部により軸部材１４１の中心軸（図１９の１点鎖線参照）周りに回動自在に支持するように固定し、スイッチ手段１４５や弾性体１４４の下端部も支持板１２３の裏面側に固定する。
【０１７８】
このように構成することで、保持部１２０にカセッテが装填されていない状態では、弾性体１４４の張力により軸部材１４１が一定方向に回動するように付勢されて、レバー１４２の屈曲部１４２ａが開口１２４を介して支持板１２３の裏側から前方に突出する状態が維持される。
【０１７９】
なお、検知手段１４０のレバー１４２が、このように屈曲した構成とされているため、上記のように保持部１２０の下端保持部１２２が上下動してレバー１４２にぶつかっても、レバー１４２が容易に支持板１２３の裏側に向けて揺動して逃げるため、下端保持部１２２の上下動がレバー１４２により妨害されることがなく、保持部１２０へのカセッテの装填動作をスムーズに行うことが可能となる。
【０１８０】
このように構成すると、カセッテが保持部１２０に装填された場合、レバー１４２がカセッテの背面に押されて、保持部１２０の支持板１２３の裏側に向けて揺動するため、軸部材１４１が中心軸周りに回動して、スイッチ１４５がＯＮされる。
【０１８１】
また、カセッテが保持部１２０から取り外されると、上記のように、弾性体１４５の張力により軸部材１４１が中心軸周りに逆方向に回動して、スイッチ１４５がＯＦＦされる。そして、レバー１４２の屈曲部１４２ａが開口１２４を介して前方に突出する状態に戻る。
【０１８２】
このように構成すれば、保持部１２０の支持板１２３の各開口１２４Ａ〜１２４Ｃ（図１２参照）の位置にそれぞれ設けられた各レバー１４２（以下、レバー１４２Ａ〜１４２Ｃという。）により、上記の実施形態における検知器１３２Ａ〜１３２Ｃと全く同様にして保持部１２０に装填されたカセッテを検知することが可能となる。
【０１８３】
すなわち、例えば図１２に示した例と同様に、開口１２４Ａの位置に配置されたレバー１４２Ａでは、１４×１７インチのカセッテを縦向きに装填した場合にのみスイッチ１４５がＯＮされる。そのため、前述したテーブル（表１参照）に示したように、レバー１４２Ａに対応するスイッチ１４５からＯＮ信号が送信されてきた場合には、１４×１７インチのカセッテが縦向きに装填されていることを意味する。
【０１８４】
同様に、図１２の開口１２４Ｂ、１２４Ｃの各位置に配置された各レバー１４２Ｂ、１４２Ｃでは、それぞれ、１４×１７インチのカセッテを縦向きに装填した場合にのみ、或いは１７×１７インチのカセッテを装填した場合にのみ各レバー１４２Ｂ、１４２Ｃに対応するスイッチ１４５がそれぞれＯＮされるため、上記のテーブルに示したように、レバー１４２Ｂ、１４２Ｃにそれぞれ対応するスイッチ１４５からそれぞれＯＮ信号が送信されてきた場合には、それぞれ、１４×１７インチのカセッテが縦向きに装填されていること、或いは１７×１７インチのカセッテが装填されていることを意味する。
【０１８５】
また、レバー１４２Ａ〜１４２Ｃに対応する各スイッチ１４５のいずれからもＯＮ信号が送信されてこない場合には、保持部１２０には１４×１７インチのカセッテも１７×１７インチのカセッテもともに装填されていないことを意味するため、その状態は、保持部１２０にカセッテが装填されていない、いわゆる空の状態に対応する。
【０１８６】
このようにして、例えば図１９や図２０に示した検知手段１４０を備える検知表示手段によっても、図１１に示した検知手段１３２を備える本実施形態の検知表示手段１３０と全く同様にして、ブッキー撮影台１００の保持部１２０に装填されたカセッテの装填の向き等を的確に検知することが可能となる。
【０１８７】
また、ブッキー撮影台１００には検知手段がなく、ＦＰＤカセッテの隣接する２辺（長辺側および短辺側）にそれぞれコネクター部分ｆｃが設けられており、どちらのコネクター部分ｆｃが使用されているか（接続されているか）に応じて、ＦＰＤカセッテＦから装填の向きの情報を発信するように構成することも可能であり、例えば、長辺側のコネクター部分ｆｃが接続使用されている場合は、縦向きに装填されているという情報をブッキー撮影台１００やコンソール５７に通知するように構成することも可能である。
【０１８８】
なお、その他、本発明が上記の実施形態や変形例に限定されず、適宜変更可能であることはいうまでもない。
【符号の説明】
【０１８９】
５０  放射線画像撮影システム
５１  放射線源
５６  操作卓（放射線発生装置）
５７  コンソール
５７ａ  表示手段
１００  ブッキー撮影台
Ｃ  ＣＲカセッテ
Ｆ  ＦＰＤカセッテ
Ｉｂ、Ｉｆ  アイコン
【図１】
2012011057.tif 000004
【図２】
2012011057.tif 000005
【図３】
2012011057.tif 000006
【図４】
2012011057.tif 000007
【図５】
2012011057.tif 000008
【図６】
2012011057.tif 000009
【図７】
2012011057.tif 000010
【図８】
2012011057.tif 000011
【図９】
2012011057.tif 000012
【図１０】
2012011057.tif 000013
【図１１】
2012011057.tif 000014
【図１２】
2012011057.tif 000015
【図１３】
2012011057.tif 000016
【図１４】
2012011057.tif 000017
【図１５】
2012011057.tif 000018
【図１６】
2012011057.tif 000019
【図１７】
2012011057.tif 000020
【図１８】
2012011057.tif 000021
【図１９】
2012011057.tif 000022
【図２０】
2012011057.tif 000023